(57)【要約】      （修正有）【課題】巻き取りの際に消防用ホースの極端な折り曲げ部を形成することなく、かつ複数の消防用ホースを容易に巻き取り、運搬及び接続して延長することができる消防用ホース背負い運搬装置を提供する。【解決手段】消防用ホース背負い運搬装置１００は、消防用ホースを一重巻きで巻き取り収納するための複数の巻き取りリール１０ａ、１０ｂと、複数の巻き取りリール１０ａ、１０ｂが互いに独立して回動自在となるように複数の巻き取りリール１０ａ、１０ｂを軸支する枠体２０と、複数の巻き取りリール１０ａ、１０ｂの１つに着脱可能に連結され、少なくとも連結された巻き取りリール１０ａ又は１０ｂを回転させるための巻き取り用ハンドル３０と、枠体に装着された背負いベルト４０とを備えている。【選択図】図１
0003178231.tif 000002
【実用新案登録請求の範囲】
【請求項１】
消防用ホースを一重巻きで巻き取り収納するための複数の巻き取りリールと、
前記複数の巻き取りリールが互いに独立して回動自在となるように該複数の巻き取りリールを軸支する枠体と、
前記複数の巻き取りリールの１つに着脱可能に連結され、少なくとも連結された巻き取りリールを回転させるための巻き取り用ハンドルと、
前記枠体に装着された背負いベルトとを備えていることを特徴とする消防用ホース背負い運搬装置。
【請求項２】
前記枠体は、底辺枠と、該底辺枠に固着された複数の三角形枠とを備えており、該複数の三角形枠の頂点には前記複数の巻き取りリールの回動中心部を挿通する軸受け部が設けられ、前記底辺枠に前記背負いベルトが取り付けられていることを特徴とする請求項１に記載の消防用ホース背負い運搬装置。
【請求項３】
前記巻き取りリールの回転を抑制するロック手段をさらに備えていることを特徴とする請求項１又は２に記載の消防用ホース背負い運搬装置。
【請求項４】
前記複数の巻き取りリールの各々は、一対のフランジ部と、該一対のフランジ部に両端が固着された消防用ホースの巻き付け部とを備えており、該巻き付け部は、前記消防用ホースの一端の接続金具を引っ掛け可能な引っ掛け部を有していることを特徴とする請求項１から３のいずれか１項に記載の消防用ホース背負い運搬装置。
【請求項５】
前記複数の巻き取りリールのうち、互いに隣接する２つの巻き取りリールが共に回転するように該２つの巻き取りリールを連結固定する連結手段をさらに備えていることを特徴とする請求項１から４のいずれか１項に記載の消防用ホース背負い運搬装置。
【請求項６】
前記複数の巻き取りリールにおける外側の巻き取りリールの回動中心部の一方の端面に凸部が形成されており、前記巻き取り用ハンドルの端部に前記凸部に嵌合可能な凹部が形成されていることを特徴とする請求項１から５のいずれか１項に記載の消防用ホース背負い運搬装置。
【考案の詳細な説明】
【技術分野】
【０００１】
本考案は、複数の消防用ホースを容易に巻き取り、かつ運搬及び接続して延長することができる消防用ホース背負い運搬装置に関するものである。
【背景技術】
【０００２】
従来、例えば林野火災等の火災現場において、消防用ホースを運ぶ際は、二重巻きにしたホースを肩に担ぎ、目的の場所まで走り、ホースを連結し、巻いたホースを投げ解き、先方向金具を持って前に走ることが行われていた。このように、巻いたホースを肩に担いで走る際に、連結金具が振動で揺れるため、体に当たる可能性があり、危険で、かつ運びにくい。また、ホースを投げ解く際に、ある程度の熟練が必要である。また、現場によって、投げ解くことができない場合もある。
【０００３】
そのため、消防用ホースを矩形枠内に折り畳んで収納し、背負って運搬することができる消防用ホース用背負子が提案されている（例えば、特許文献１）。この場合、火災などの際に、折り畳み収納した消防用ホースの一端を収納箱から引き出し、近くの消防ポンプまで運搬し、消防ホースの基端接続金具を消防ポンプに接続した後、消防ホースを背負って火災現場に運搬する。
【０００４】
また、消防用ホースの撤収困難を解消するために、消防用ホースを一重巻き、又は二重巻きにして収納するためのホース巻き取り装置が提案されている（例えば、特許文献２）。この場合、消防活動に用いられたホースを撤収する際に、ホース巻き取り装置を背負いながら、補助ハンドルの接続軸にホースの一端を挟み、回転することによってホースを一重巻き、又はホースの中央部を補助ハンドルの接続軸に挟み、回転することによって二重巻きにして巻き取る。ホースの巻き取りが終了したら、ホースを支軸から抜き取る。
【先行技術文献】
【特許文献】
【０００５】
【特許文献１】実用新案登録第２６００３４４号公報
【特許文献２】特開平９−１９２２５４号公報
【考案の概要】
【考案が解決しようとする課題】
【０００６】
しかし、特許文献１の場合は、消防用ホースを収納し、背負って運搬することができるが、消防用ホースに折り返しがあるため、長期に収納したままの場合、消防用ホースの中のゴムが朽ちる恐れがあり、水漏れの原因になる。また、１本の消防用ホースしか運搬できないという問題点があった。さらに、消防活動に用いられたホースを撤収する際に、ホースの折り畳みが煩雑で、かつ多大な労力が必要とされている。
【０００７】
また、特許文献２の場合は、補助ハンドルの接続軸にホースの一端を挟み、折り曲げてホースを一重巻き、又はホースの中央部を折り畳み二重巻きするため、一カ所であるが、この場合も消防用ホースは折り返しがあるため、長期に収納したままの場合、消防用ホースの中のゴムが朽ちる恐れがあり、水漏れの原因になる。
【０００８】
さらに、消防車が入れないような狭い路地の火災や林野火災等の場合、足下が悪かったり、急斜面であったりすることがあり、従来のように肩に担いで走る際に、手で保持するため、両手が使えず、消防活動が困難である。そのため、複数の消防用ホース（例えば、２本又は３本）を背負って運搬し、途中で接続して延長することが必要となる。また、消防活動に用いられた消防用ホースを巻き取る際に、複数の消防用ホースを順次に巻き取り、収納する必要がある。
【０００９】
従って、本考案は上述した問題点を解消するものであり、本考案の目的は、巻き取りの際に消防用ホースの極端な折り曲げ部を形成することなく、かつ複数の消防用ホースを容易に巻き取り、運搬及び接続して延長することができる消防用ホース背負い運搬装置を提供することにある。
【課題を解決するための手段】
【００１０】
本考案によれば、消防用ホースを一重巻きで巻き取り収納するための複数の巻き取りリールと、複数の巻き取りリールが互いに独立して回動自在となるように複数の巻き取りリールを軸支する枠体と、複数の巻き取りリールの１つに着脱可能に連結され、少なくとも連結された巻き取りリールを回転させるための巻き取り用ハンドルと、枠体に装着された背負いベルトとを備えている消防用ホース背負い運搬装置が提供される。
【００１１】
複数の巻き取りリールと、巻き取りリールを軸支する枠体と、回転軸に着脱可能に連結され、連結された巻き取りリールをそれぞれ回転させる巻き取り用ハンドルと、枠体に装着される背負いベルトとを備えているため、複数の消防用ホースを容易に巻き取り、運搬及び接続して延長することが可能となる。また、消防用ホースを一重巻きで巻き取り収納しているので巻き取り収納した消防用ホースの極端な折り曲げがないため、消防用ホースの長期保管に適している。
【００１２】
枠体は、底辺枠と、底辺枠に固着された複数の三角形枠とを備えており、複数の三角形枠の頂点には複数の巻き取りリールの回動中心部を挿通する軸受け部が設けられ、底辺枠に背負いベルトが取り付けられていることが好ましい。これにより、消防用ホース背負い運搬装置を背負って同時に複数の消防用ホースを運搬することができると共に、枠体の底辺枠を地面に設置して巻き取ることでき、かつ投げ解く作業が不要となり、消防用ホースを簡単に展張することができる。
【００１３】
巻き取りリールの回転を抑制するロック手段をさらに備えていることも好ましい。これにより、消防用ホースが弛むことなく、運搬することが可能となる。
【００１４】
複数の巻き取りリールの各々は、一対のフランジ部と、一対のフランジ部に両端が固着された消防用ホースの巻き付け部とを備えており、巻き付け部は、消防用ホースの一端の接続金具を引っ掛け可能な引っ掛け部を有していることも好ましい。これにより、消防用ホースを簡単に一重巻きにすることができると共に、折り返し部がないため、消防用ホースの中のゴムの破損を回避することができる。
【００１５】
複数の巻き取りリールのうち、互いに隣接する２つの巻き取りリールが共に回転するように２つの巻き取りリールを連結固定する連結手段をさらに備えていることも好ましい。これにより、３つ以上の巻き取りリールを設ける場合、外側の巻き取りリールを介して内側の巻き取りリールを回転させることが可能となる。
【００１６】
複数の巻き取りリールにおける外側の巻き取りリールの回動中心部の一方の端面に凸部が形成されており、巻き取り用ハンドルの端部に凸部に嵌合可能な凹部が形成されていることも好ましい。これにより、巻き取り用ハンドルの連結、取り外しが容易になる。
【考案の効果】
【００１７】
本考案によれば、複数の消防用ホースを容易に巻き取り、運搬及び接続して延長することができる。また、巻き取り収納した消防用ホースの極端な折り曲げがないため、消防用ホースの長期保管に適している。従って、消防用ホースを消防用ホース背負い運搬装置に巻き取った状態で保管することができる。
【００１８】
また、消防用ホース背負い運搬装置を背負って同時に複数の消防用ホースを運搬することができると共に、枠体の底辺枠を地面に設置して巻き取ることでき、かつ投げ解く作業が不要となり、消防用ホースを簡単に展張することができる。
【００１９】
また、複数の巻き取りリールの回転を抑制するロック手段を設けることで、消防用ホースが弛むことなく、運搬することができる。
【００２０】
また、巻き取りリールの巻き付け部には、ホースの一端の接続金具を引っ掛かる引っ掛け部を有することで、消防用ホースを簡単に一重巻きにすることができると共に、折り返し部がないため、消防用ホースを傷めることを回避できる。
【００２１】
また、複数の巻き取りリールのうち、互いに隣接する２つの巻き取りリールが共に回転するように２つの巻き取りリールを連結固定する連結手段を設けることで、３つ以上の巻き取りリールを設ける場合、外側の巻き取りリールを介して内側の巻き取りリールを回転させることができる。
【００２２】
さらに、複数の巻き取りリールにおける外側の巻き取りリールの回動中心部の一方の端面に凸部が形成されており、巻き取り用ハンドルの端部に凸部に嵌合可能な凹部が形成されていることで、巻き取り用ハンドルの連結、取り外しが容易にできる。
【図面の簡単な説明】
【００２３】
【図１】本考案の一実施形態における消防用ホース背負い運搬装置の全体構成を概略的に示す斜視図である。
【図２】図１に示した消防用ホース背負い運搬装置の構成を概略的に示す（ａ）正面図及び（ｂ）側面図である。
【図３】図１に示した消防用ホース背負い運搬装置を用いて、消防用ホースを運搬、展張する状態を示す側面図である。
【図４】本考案の他の実施形態における消防用ホース背負い運搬装置の構成を概略的に示す側面図である。
【考案を実施するための形態】
【００２４】
以下、本考案に係る消防用ホース背負い運搬装置の実施形態について、図を参照して説明する。
【００２５】
図１は本考案の一実施形態における消防用ホース背負い運搬装置１００の全体構成を示しており、消防用ホースＴが巻き取られて収納されている状態を示している。図２は消防用ホース背負い運搬装置１００を巻き取る状態を示しており、図３は消防用ホース背負い運搬装置１００を背負って消防用ホースＴを運搬し、展張する使用状態を示している。
【００２６】
図１〜３に示すように、本実施形態の消防用ホース背負い運搬装置１００は、消防用ホースＴを巻き取り収納する複数（本実施形態では一対）の巻取リール１０ａ及び１０ｂと、巻き取りリール１０ａ及び１０ｂをそれらの回動中心で軸支する枠体２０と、巻き取りリール１０ａ及び１０ｂの各々に着脱可能でありこれら巻き取りリール１０ａ及び１０ｂをそれぞれ独立して回転駆動することができる巻き取り用ハンドル３０と、枠体２０に装着される一対の背負いベルト４０と、ロック手段５０とを備えている。
【００２７】
巻き取りリール１０ａ及び１０ｂの各々は、消防用ホースＴを巻き付ける巻き付け部１２と、巻き付け部１２の両端部にそれぞれ形成された一対のフランジ部１３とを備えている。巻き付け部１２は、複数（例えば４本）の棒状部材を巻き取りリールの回動中心から等距離でありかつ互いに等角度間隔の位置に軸方向に平行に配置することによって構成されている。隣りあう棒状部材の間にホースＴの先端連結金具Ｃ２が挿入して引っ掛かることが可能に構成されており、引っ掛け部として利用される。各フランジ部１３は、線材を多角形（例えば、８角形）に形成した外周部と、巻き取りリールの回動中心を規定する回動中心部１１と、外周部の各角部と回動中心部１１との間を連結する棒状のリム部材とを備えている。一方（外側）のフランジ部１３の回動中心部１１には、軸方向に突出する矩形の凸部１１ａが形成されている。
【００２８】
枠体２０は、中空管材の枠２０ａ、２０ｂ、２０ｃ及び２０ｄからなる矩形の底辺枠と、この底辺枠の枠２０ｂを一辺として立ち上がる枠２０ｅ及び２０ｆからなる三角形枠と、底辺の枠２０ｃを一辺として立ち上がる枠２０ｇ及び２０ｈからなる三角形枠と、底辺の枠２０ａ及び２０ｄの中央から立ち上がる枠２０ｉ及び２０ｊからなる三角形枠とから形成されている。各三角形枠の頂点には回動中心部１１を挿通する軸受け部２１が設けられ、枠体２０の矩形の底辺の内側に背負いベルト４０を取り付けるための補助枠２０ｋが枠２０ｄと平行に設けられている。また、枠体２０の枠２０ａ及び２０ｋには、パッド部材２２が設けられている。これにより、背負いベルト４０で背負う際に人体に接触する部分が大きくかつ平坦になり、人体の腰部及びその近傍を保護することができる。
【００２９】
巻き取り用ハンドル３０は、クランクハンドルであり、その回動軸側の端部３１に回動中心部１１の凸部１１ａに嵌合可能な凹部３１ａが形成されている。巻き取り用ハンドル３０は、この凹部３１ａを介して回動中心部１１に着脱可能であり、巻き取りリール１０ａ又は１０ｂを回転させることができる。
【００３０】
背負いベルト４０は、例えば、所定幅を有する繊維製ベルトから構成されている。背負いベルト４０の一端は、枠体２０の枠２０ａに取り付けられており、他端は、枠体２０の補助枠２０ｋに取り付けられている。また、背負いベルト４０は、その長さが調整可能に構成されている。さらに、背負いベルト４０の肩に当たる位置には、パッド部材４１が設けられている。
【００３１】
ロック手段５０は、巻き取りリール１０ａ及び１０ｂの回転を抑制するためのものであり、必要時に、巻き取りリール１０ａ又は１０ｂのフランジ部１３を枠体２０に連結するフック部材から構成されている。例えば、このロック手段５０の一端は枠体２０に連結された補強部材２３に回動可能に装着され、他端は、巻き取りリール１０ａ又は１０ｂのフランジ部１３に掛止め可能に構成されている。図１〜３においては、１つのみが示されているが、本実施形態において、ロック手段５０は２つ設けられている。このロック手段５０を巻き取りリール１０ａ又は１０ｂのフランジ部１３から外すと、ロック状態が解除され、巻き取りリール１０ａ又は１０ｂが回転することが可能となる。
【００３２】
図２（ａ）に示すように、消防活動に用いられる消防用ホースＴを巻き取る際に、枠体２０の底辺枠を地面に載置し、巻き取り用ハンドル３０を巻き取る側の巻き取りリール１０ａの回動中心部１１の端部に連結し、この巻き取り用ハンドル３０を回す。これにより、巻き取りリール１０ａが回転し、消防用ホースＴは一重巻きでこの巻き取りリール１０ａに巻き取られる。他方の巻き取りリール１０ｂへの消防用ホースの巻き取りも同様にして行われる。
【００３３】
図３に示すように、消防活動行うために、巻き取りリール１０ａ及び１０ｂに巻かれている消防用ホースＴを展張する際には、例えば、巻き取りリール１０ａに巻かれている消防用ホースＴにおける巻き末端の接続金具Ｃ１を引っ張ってポンプＰ又はポンプ側の消防用ホースの末端に連結し、消防用ホース背負い運搬装置１００を背負って火災現場方向に移動することで、消防用ホースＴが展張される。１本の消防用ホースＴが展張された後、終端の接続金具Ｃ２を隣の巻き取るリール１０ｂに巻き取られた消防用ホースＴの巻き末端の接続金具Ｃ１に連結して、火災現場方向に移動することにより、２本目の消防用ホースＴも展張することができる。
【００３４】
このように本実施形態においては、消防用ホース背負い運搬装置１００は、消防用ホースＴを一重巻きで巻き取り収納するための２つの巻き取りリール１０ａ及び１０ｂと、２つの巻き取りリール１０ａ及び１０ｂが互いに独立して回動自在となるようにこれら巻き取りリール１０ａ及び１０ｂを軸支する枠体２０と、２つの巻き取りリール１０ａ及び１０ｂに着脱可能に連結され、連結された側の巻き取りリール１０ａ又は１０ｂを回転させるための巻き取り用ハンドル３０と、枠体２０に装着された背負いベルト４０と、ロック手段５０とを備えている。
【００３５】
これにより、複数の消防用ホースＴを容易に巻き取り、運搬及び接続延長することができる。また、一重巻きのため、巻き取り収納した消防用ホースＴの極端な折り曲げがなく、消防用ホースＴの長期保管に適している。従って、消防用ホースＴを消防用ホース背負い運搬装置１００に巻き取った状態で保管することができる。
【００３６】
また、枠体２０は、矩形の底辺枠とこの底辺枠に連結された３つの三角形枠とを備えており、３つの三角形枠の頂点には巻き取りリールの回動中心部１１を挿通する軸受け部２１が設けられ、三角形枠の底辺枠側には背負いベルト４０が取り付けられていることから、消防用ホース背負い運搬装置１００を背負って複数の消防用ホースＴを運搬することができる。また、底辺枠を地面に設置して巻き取ることでき、しかも、消防用ホースを投げ解く作業が不要であり、消防用ホースＴの一端をポンプ側に接続し、背負って走ることで簡単に展張することができる。
【００３７】
さらに、複数の巻き取りリール１０ａ及び１０ｂの回転をロックするロック手段５０を備えていることにより、消防用ホースＴを弛ませることなく、運搬することが可能となる。また、複数の巻き取りリール１０ａ及び１０ｂを個別に回転させることができる。
【００３８】
さらにまた、複数の巻き取りリール１０ａ及び１０ｂの巻き付け部１２には、消防用ホースＴの一端の接続金具Ｃ２を引っ掛かる引っ掛け部を有することにより、消防用ホースＴを簡単に一重巻きにすることができると共に、折り返し部がないため、消防用ホースＴの中のゴムが朽ちるのを回避することができる。
【００３９】
さらに、回動中心部１１の少なくとも一端の端面に凸部１１ａを形成し、巻き取り用ハンドル３０の端部に凸部１１ａに嵌合可能な凹部３１ａを形成していることにより、巻き取り用ハンドル３０の連結、取り外しが容易になる。
【００４０】
なお、上述した実施形態の消防用ホース背負い運搬装置１００は、２つの巻き取りリール１０ａ及び１０ｂを有し、同時に２本の消防用ホースＴを運搬できる構成について説明したが、本考案はこれに限定されるものではない。例えば、３つの巻き取りリールを有するようにしてもよい。
【００４１】
図４は、３つの巻き取りリール１０ａ、１０ｂ及び１０ｃを有する、本考案の他の実施形態を示している。図４に示すように、消防用ホース背負い運搬装置２００は、消防用ホースを一重巻きで巻き取り収納するための３つの巻き取りリール１０ａ、１０ｂ及び１０ｃと、３つの巻き取りリール１０ａ、１０ｂ及び１０ｃが互いに独立して回動自在となるようにこれら巻き取りリール１０ａ、１０ｂ及び１０ｃを軸支する枠体２０と、両側に位置する２つの巻き取りリール１０ａ及び１０ｂに着脱可能に連結され、連結された側の巻き取りリール１０ａ又は１０ｂを回転させるための巻き取り用ハンドル３０と、枠体２０に装着された背負いベルト４０と、巻き取りリール１０ａ、１０ｂ及び１０ｃの回転を抑制するロック手段５０と、巻き取りリール１０ａ及び１０ｃが一緒に回転するように巻き取りリール１０ａと１０ｃとを連結固定する連結手段６０とを備えている。
【００４２】
連結手段６０は、巻き取りリール１０ａの回動中心部を円筒状に構成して、巻き取りリール１０ｃの円柱状の回動中心部１１ｃをこの円筒状の回動中心部内に挿入し、止めねじ６０ａで両者を固着することができる構成となっている。この止めねじ６０ａを締めると中央の巻き取りリール１０ｃと外側の一方の巻き取りリール１０ａとの軸が連結され、２つの巻き取りリール１０ａ及び１０ｃが一緒に回転することとなる。消防用ホースＴを巻き取る際には、中央の巻き取りリール１０ｃから消防用ホースＴを巻く。そして、止めねじ６０ａを緩めて連結を外し、外側の巻き取りリール１０ａが単独に回転できるようにして、外側の巻き取りリール１０ａに消防用ホースＴを巻く。なお、中央の巻き取りリール１０ｃと反対側の巻き取りリール１０ｂとを連結手段６０で連結する構成にしてもよい。
【００４３】
このように、複数の巻き取りリール１０ａ、１０ｂ及び１０ｃのうち、隣接する２つの巻き取りリール１０ａ及び１０ｃ又は２つの巻き取りリール１０ｂ及び１０ｃが共に回転するように２つの巻き取りリール１０ａ及び１０ｃ又は２つの巻き取りリール１０ｂ及び１０ｃを連結する連結手段６０を設けることで、３つ以上の巻き取りリールを設ける場合、外側の巻き取りリールを介して内側の巻き取りリールを回転させることができる。
【００４４】
また、以上の実施形態においては、２つ又は３つの巻き取りリールを有する構成について説明したが、本考案はこれに限定されるものではなく、例えば４つの巻き取りリールを有する構成にしてもよい。４つの巻き取りリールを有する場合は、隣接する２つの巻き取りリールを連結手段で連結して、一緒に回るようにし、内側の巻き取りリールからホースを巻く。そして、連結を外し、外側の巻き取りリールが単独に回転できるようにして、外側の巻き取りリールにホースを巻く。これにより、４本の消防用ホースを巻き取り、運搬することができる。
【００４５】
さらに、上述した実施形態の消防用ホース背負い運搬装置１００及び２００において、回動中心部１１の一端の端面には凸部１１ａを有し、巻き取り用ハンドル３０の端面には凸部１１ａに嵌合可能な凹部３１ａを有する構成としたが、本考案はこれに限定されるものではない。例えば、回動中心部１１側には凹部を有し、巻き取り用ハンドル３０側には凹部に嵌合可能な凸部を有する構成にも本考案を適用できる。
【００４６】
さらに、上述した実施形態において、ロック手段５０として、２つの巻き取りリール１０を連結するフック部材を用いたが、本考案はこれに限定されるものではない。また、連結手段６０として、止めねじ６０ａを有する構成について説明したが、本考案はこれに限定されるものではない。
【産業上の利用可能性】
【００４７】
本考案は、複数の消防用ホースを巻き取り、運搬及び展張する目的に利用できる。
【符号の説明】
【００４８】
１０ａ、１０ｂ、１０ｃ  巻き取りリール
１１  回動中心部
１１ａ  凸部
１２  巻き付け部
１３  フランジ部
２０  枠体
２０ａ、２０ｂ、２０ｃ、２０ｄ、２０ｅ、２０ｆ、２０ｇ、２０ｈ、２０ｉ、２０ｊ  枠
２０ｋ  補助枠
２１  軸受け部
２２、４１  パッド部材
２３  補強部材
３０  巻き取り用ハンドル
３１  端部
３１ａ  凹部
４０  背負いベルト
５０  ロック手段
６０  連結手段
６０ａ  止めねじ
１００、２００  消防用ホース背負い運搬装置
【図１】
0003178231.tif 000003
【図２】
0003178231.tif 000004
【図３】
0003178231.tif 000005
【図４】
0003178231.tif 000006